(57)【要約】
　【課題】左右の瓦をスライド可能としながら、部材の強度が低下することなく、雨水の侵入も抑止できる粘土瓦瓦を提供する。
　【解決手段】　瓦本体２の一方側部に断面半円弧形状に膨出形成された山形のオーバラップ部３を備え、このオーバラップ部３に続く谷部２１から他方側部に向けて上り勾配に形成されたアンダラップ部４を備えた粘土瓦であって、第１に、このアンダラップ部４の頭側隅角部分において、上方に肉盛りして水返しを兼ねた肉厚部６１ａを備えた上部段差部６１と下部段差部６２を備えた２段の段差のある頭部切り欠き部６を設け、第２には、前記オーバラップ部３の尻側隅角部分には、葺設施工時に斜め上側に葺設される瓦の前記頭部切り欠き部６に重ね合わされるべき尻部重合部５を設けた粘土瓦である。
　【選択図】　図１
0003100454.tif 000002
【実用新案登録請求の範囲】
【請求項１】
　瓦本体の一方側部に山形のオーバラップ部を備え、このオーバラップ部に続く谷部から他方側部に向けて上り勾配に形成されたアンダラップ部を備えた粘土瓦であって、このアンダラップ部の頭側隅角部分において、四角形に切り欠いて、上方から下方に、および側部から谷部に、の２方向において段差のある１段の段差部を備えた頭部切り欠き部を設けるとともに、前記オーバラップ部尻側隅角部分には、葺設施工時に斜め上側に葺設される瓦の前記頭部切り欠き部に重ね合わされるべき尻部重合部を設けたことを特徴とする粘土瓦。
【請求項２】
　前記頭部切り欠き部の段差部が水返しを兼ねた肉厚部を備えたものである請求項１に記載の粘土瓦。
【請求項３】
　瓦本体の一方側部に山形のオーバラップ部を備え、このオーバラップ部に続く谷部から他方側部に向けて上り勾配に形成されたアンダラップ部を備えた粘土瓦であって、このアンダラップ部の頭側隅角部分において、四角形に切り欠き、さらにその頭部側角部分を切り欠いて、上方から下方に、および側部から谷部に、の２方向において段差のある上部段差部と下部段差部を備えた頭部切り欠き部を設けるとともに、前記オーバラップ部尻側隅角部分には、葺設施工時に斜め上側に葺設される瓦の前記頭部切り欠き部に重ね合わされるべき尻部重合部を設けた粘土瓦。
【請求項４】
　前記頭部切り欠き部の、少なくとも上部段差部が水返しを兼ねた肉厚部を備えたものである請求項１に記載の粘土瓦。
【請求項５】
　前記オーバラップ部が断面半円弧形状に膨出形成されるとともに、その尻部には、葺設施工時に直上側重ねて葺設される瓦の頭部オーバラップ部が面一状に重ね合わせられるよう、縮径した段差が形成され、前記尻部重合部がその縮径段差部に設けられ、かつその下面には、斜め上側の葺設される瓦の頭部切り欠き部の段差部上面に当接するほぼ水平な部分を設けた請求項１または２に記載の粘土瓦。
【請求項６】
　前記オーバラップ部が断面半円弧形状に膨出形成されるとともに、その尻部には、葺設施工時に直上側重ねて葺設される瓦の頭部オーバラップ部が面一状に重ね合わせられるよう、縮径した段差が形成され、前記尻部重合部がその縮径段差部に設けられ、かつその下面には、斜め上側の葺設される瓦の頭部切り欠き部の上部段差部上面に当接するほぼ水平な部分を設けた請求項３または４に記載の粘土瓦。
【考案の詳細な説明】
【技術分野】
【０００１】
　本考案は、粘土類を原料として成形、焼成して製造される粘土瓦、特に屋根葺き（以下、葺設という）が容易になる改良された本葺瓦に関する。
【背景技術】
【０００２】
　葺設施工時に、横方向に重ね合わされる瓦の位置を左右にスライド調整可能とした本葺用の粘土瓦が提案されている。（特許文献１を参照のこと）
この粘土瓦は、図６、７に示すように、アンダラップ部１１の頭部隅角部分には、２段の上段載置面１３ａと下段載置面１３ｂからなる切り欠き部１３を形成していて、いずれも水平な平面によって構成されている。そして、オーバラップ部１２の尻部隅角部分には、葺設施工時に上側に位置する瓦の前記２段の上段載置面１３ａと下段載置面１３ｂにスライドする２段の切り欠き部１４を設けてある。
【０００３】
　かくして、この構造の瓦では、前記アンダラップ部の切り欠き部１３とオーバラップ部の切り欠き部１４を左右にスライドさせることによって、瓦を水平方向に位置調整ができるから葺設施工時の寸法調整が容易となり、また雨水の侵入を抑えて洩れを防止できるという作用効果が期待されるのである。
【特許文献１】実公平３−２２４１６号公報：実用新案登録請求の範囲、第３頁の考案の効果の欄、第１図。第９図など。
【０００４】
　ところが、このようなアンダラップ部１１の頭部隅角部分に切り欠き部１３を形成した瓦では、２段の上段載置面１３ａと下段載置面１３ｂを水平に形成していることから、その外側の側面１３ａｘ、１３ｂｘの厚さを薄く設定せざる得ないことになり、その結果、その部分の強度が低下するという事情があった。しかもこの部分は、斜め下側の瓦のオーバラップ部の切り欠き部１４と組み合わせる部分であるので、葺設施工時に打ち当てる機会が多くなるため、その部分が欠損するなど破損し易くなるという問題があった。さらに破損した場合には、雨水が侵入し易くなるなどの問題が予想された。
【考案の開示】
【考案が解決しようとする課題】
【０００５】
　本考案は、上記の問題点を解決するためになされたものであり、アンダラップ部とオーバラップ部の切り欠き部の組合せにおいて、左右の瓦をスライド可能としながら、部材の強度が低下することなく、雨水の侵入も抑止できる粘土瓦瓦を提供する。
【課題を解決するための手段】
【０００６】
　上記の問題は、第１考案であるところの、瓦本体の一方側部に山形のオーバラップ部を備え、このオーバラップ部に続く谷部から他方側部に向けて上り勾配に形成されたアンダラップ部を備えた粘土瓦であって、このアンダラップ部の頭側隅角部分において、四角形に切り欠いて、上方から下方に、および側部から谷部に、の２方向において段差のある１段の段差部を備えた頭部切り欠き部を設けるとともに、前記オーバラップ部尻側隅角部分には、葺設施工時に斜め上側に葺設される瓦の前記頭部切り欠き部に重ね合わされるべき尻部重合部を設けたことを特徴とする本考案の粘土瓦によって、解決することができる。
　この場合、前記頭部切り欠き部の段差部が水返しを兼ねた肉厚部を備えた構造であるのが好ましい。
【０００７】
　また、上記の問題は、第２考案であるところの、瓦本体の一方側部に山形のオーバラップ部を備え、このオーバラップ部に続く谷部から他方側部に向けて上り勾配に形成されたアンダラップ部を備えた粘土瓦であって、このアンダラップ部の頭側隅角部分において、四角形に切り欠き、さらにその頭部側角部分を切り欠いて、上方から下方に、および側部から谷部に、の２方向において段差のある上部段差部と下部段差部を備えた頭部切り欠き部を設けるとともに、前記オーバラップ部尻側隅角部分には、葺設施工時に斜め上側に葺設される瓦の前記頭部切り欠き部に重ね合わされるべき尻部重合部を設けた本考案の粘土瓦によっても、解決することができる。この場合、前記頭部切り欠き部の、少なくとも上部段差部が水返しを兼ねた肉厚部を備えた構造であるのが好ましい。
【０００８】
　上記第１考案においては、前記オーバラップ部が断面半円弧形状に膨出形成されるとともに、その尻部には、葺設施工時に直上側重ねて葺設される瓦の頭部オーバラップ部が面一状に重ね合わせられるよう、縮径した段差が形成され、前記尻部重合部がその縮径段差部に設けられ、かつその下面には、斜め上側の葺設される瓦の頭部切り欠き部の段差部上面に当接するほぼ水平な部分を設けた構造として、具体化され得る。
【０００９】
　また、上記第２考案においては、前記オーバラップ部が断面半円弧形状に膨出形成されるとともに、その尻部には、葺設施工時に直上側重ねて葺設される瓦の頭部オーバラップ部が面一状に重ね合わせられるよう、縮径した段差が形成され、前記尻部重合部がその縮径段差部に設けられ、かつその下面には、斜め上側の葺設される瓦の頭部切り欠き部の上部段差部上面に当接するほぼ水平な部分を設けた構造として、具体化され得る。
【考案の効果】
【００１０】
　本考案の粘土瓦は、このアンダラップ部の頭側隅角部分において、上方から下方に、および側部から谷部に、の２方向において段差のある段差部が設けられているから、その側端部は薄肉にする必要がないので強度低下がない。また、その部分が水返しを兼ねた肉厚部を備えた場合は、構造上補強されたことになるので強度低下の不安は解消される。
【００１１】
　さらに、本考案では、前記オーバラップ部が断面半円弧形状に膨出形成されるとともに、その尻部には、葺設施工時に直上側重ねて葺設される瓦の頭部オーバラップ部が面一状に重ね合わせられるよう、縮径した段差が形成された形状の瓦、すなわち、本葺き型瓦に好ましく適用でき、さらに、その縮径段差部の下面には、斜め上側の葺設される瓦の頭部切り欠き部の上部段差部上面に当接するほぼ水平な部分を設けたので、位置調整のため左右の瓦をスライドさせるときに何ら支障がない。
　よって本考案は、従来の問題点を解消した粘土瓦として、その実用的価値はきわめて大なるものがある。
【考案を実施するための最良の形態】
【００１２】
　次に、本考案の実施形態について、代表的な第２考案に基づいて図１〜５を参照しながら説明する。
　先ず、正面および側面に俯瞰斜視図である図１、２において、本考案の粘土瓦は、瓦本体２の一方側部に山形のオーバラップ部３を備え、このオーバラップ部３に続く谷部２１から他方側部に向けて上り勾配に形成されたアンダラップ部４を備えた粘土瓦である。
図示する形態は、前記オーバラップ部３が断面半円弧形状に膨出形成され、瓦本体２の谷部２１ほぼ中央左右に横切る段差が設けられた本葺瓦を例示している。
【００１３】
　この粘土瓦の特徴は、第１に、このアンダラップ部４の頭側隅角部分において、２段の段差のある頭部切り欠き部６を設けた点にある。すなわち、頭側隅角部分を上下に四角形に切り欠き、さらにその頭部側角部分を上下に切り欠いて、上方から下方に、および側部から谷部に、の２方向において段差のある上部段差部６１と下部段差部６２を備えた頭部切り欠き部６を設けているのである。この場合、前記頭部切り欠き部６の、少なくとも上部段差部６１は、上方に肉盛りして水返しを兼ねた肉厚部６１ａを備えた構造とするのがより好ましい。
【００１４】
　第２には、前記オーバラップ部３の尻側隅角部分には、葺設施工時に斜め上側に葺設される瓦の前記頭部切り欠き部６に重ね合わされるべき尻部重合部５を設けた（図４、５参照）点に特徴があり、より具体的には、図１、図３に示すように、前記オーバラップ部３が断面半円弧形状に膨出形成されるとともに、その尻部には、葺設施工時に直上側重ねて葺設される瓦の頭部オーバラップ部３１が面一状に重ね合わせられるよう、径が縮小された縮径段差部３２が形成され、前記尻部重合部５がその縮径段差部３２に設けられ、かつ図３にあるように、その下面３２ａには、斜め上側の葺設される瓦の頭部切り欠き部６の上部段差部６１上面に当接するほぼ水平な部分を設けた構造が好ましい。
【００１５】
　以上のように、斜め上側の葺設される瓦の上部段差部６１上面に、尻部の縮径段差部３２の下面３２ａを当接させるようにするには、前記尻部重合部５において、尻部オーバラップ部３３に縮径段差部３２を突出させて設け、さらに板状の尻部端部３４を突出させて配置するのが適当である。
【００１６】
　そして、それぞれの位置関係は、図４（組み合わせ前）、図５（組み合わせ後）に示すように、尻部端部３４の側面３４ａを斜め上側の葺設される瓦のオーバラップ部端部６０に接近させたとき、縮径段差部３２の隅角下面３２ａが前記オーバラップ部端部６０に続く上部段差部６１上面に重ね合わされ、尻部オーバラップ部３３とともに、頭部切り欠き部６全体を覆うように設定されていればよい。
【００１７】
　本考案では、以上説明したように、葺設施工時に、頭部切り欠き部６は斜め下側の瓦の尻部重合部５と組み合わされて、相互の位置関係が定められとともに、若干の位置調整を可能とするように、尻部重合部５（縮径段差部３２および尻部オーバラップ部３３）を頭部切り欠き部（オーバラップ部端部６０、上部段差部６１および下部段差部６２）に対して調整分を含んだ大きなサイズに設定しておく必要がある。
【００１８】
　かくして、本考案によれば、葺設施工時における瓦の相互位置関係を必要に応じて、上下の瓦の間に雨水漏れの原因となる大きな隙間などが開くことなく、調整することができるのである。また、仮に多少の隙間が開いても、この部分にはさらに上側から葺設される瓦の頭部オーバラップ部３１が重ね合わされるので、雨洩れのおそれはない。
【００１９】
　そして、従来、水平に形成されていた関係から強度上不安のあった従来構造の上部段差部は、本考案では側辺から段差を着けたので厚さが十分に取れるうえ、水返しを兼ねた肉厚部することもできるので、一層強固な構造となるから、破損や破損による雨漏れなどおそれを解消することができた。
【００２０】
　また、葺設施工時に、斜め上側の葺設される瓦の頭部切り欠き部６の上部段差部６１上面に当接することになる前記尻部重合部５の縮径段差部３２の下面３２ａには、ほぼ水平な部分を設けたので、瓦の位置調整を行う際に、屋根面に対して瓦の水平を維持するのが容易になるという補助的効果が得られる。
【００２１】
　以上の説明は、上部段差部と下部段差部を備えた頭部切り欠き部を設けた第２考案を事例として進めてきたが、本考案の第１考案は、前述の課題解決手段の記載および図６示すように、この第２考案の２段の段差部６１、６２に替えて、上部段差部６１に相当する１段の段差部６３を備えた頭部切り欠き部を設けた粘土瓦であり、その相違点以外は両者に基本的な相違はない。従って、第２考案について以上説明した第１考案の上部段差部６１に関する記載を１段の段差部６３に適用する以外は、第２考案の上記の説明内容は第１考案に準用されるものであるので、その具体的な説明は重複するので省略する。
【図面の簡単な説明】
【００２２】
【図１】本考案の代表的実施形態を正面上方から見た俯瞰斜視図。
【図２】同実施形態をオーバラップ側上方から見た俯瞰斜視図。
【図３】同実施形態のオーバラップ側およびアンダラップ側切り欠き部の相互位置関係を示す、斜め上方から俯瞰した斜視図。
【図４】同実施形態のオーバラップ側およびアンダラップ側切り欠き部の組み合わせ前の位置関係を示す上面図。
【図５】同実施形態のオーバラップ側およびアンダラップ側切り欠き部の組み合わせ後の位置関係を示す上面図。
【図６】他の実施形態を正面上方から見た俯瞰斜視図。
【図７】先行文献に示された瓦の上面図。
【図８】先行文献に示された瓦の葺設時の組合わせを説明するための斜視図。
【符号の説明】
【００２３】
２：瓦本体
２１：谷部
３：オーバラップ部
３１：頭部オーバラップ部
３２：縮径段差部
３２ａ：下面、
４：アンダラップ部
５：尻部重合部
６：頭部切り欠き部
６１：上部段差部
６１ａ：肉厚部
６２：下部段差部
【図１】
0003100454.tif 000003
【図２】
0003100454.tif 000004
【図３】
0003100454.tif 000005
【図４】
0003100454.tif 000006
【図５】
0003100454.tif 000007
【図６】
0003100454.tif 000008
【図７】
0003100454.tif 000009
【図８】
0003100454.tif 000010